(57)【要約】【課題】ユーザによる回線の接続のための設定の手間を省くことができる回線の接続装置、受信装置、アップロードシステム及び接続方法を提供すること。【解決手段】受信装置５０は、その有料放送番組のデータストリームを受信してデコードしたことを示す情報を視聴履歴データとしてＩＣカード１９のメモリ領域１９ａ、またはその他の記憶デバイスに記録する。受信装置５０は、視聴履歴データを記録すると、その視聴履歴データをサーバ８０に送信するための回線の接続設定を行う。典型的には、受信装置５０は、回線検出部１６により３つの接続インターフェース２０（１３、１４、１５）の端子１３ａ、１４ａ、１５ａのうちどれに回線７０が電気的（あるいは物理的）に接続されているかを検出する。その検出後、受信装置５０は、検出された接続インターフェース１３、１４、または１５と、それに対応する回線７０の接続設定を行う。【選択図】図１
2009010556.tif 000002
【特許請求の範囲】
【請求項１】
放送コンテンツを送信する送信局が有するサーバに接続された回線に接続可能な接続装置であって、
通信方式が異なる複数の前記回線にそれぞれ接続可能な複数の接続インターフェースと、
前記複数の接続インターフェースのうちの１つに、前記複数の回線のうち対応する回線が接続されたことを検出する検出手段と、
前記放送に関連するアップロードデータを前記サーバに送信するために、前記検出された接続インターフェースを介して、前記アップロードデータを前記接続された回線に出力する出力手段と
を具備する接続装置。
【請求項２】
請求項１に記載の接続装置であって、
前記出力手段は、前記放送コンテンツの受信履歴データ、データ放送によるデータ、及び共同受信に関連するデータのうち少なくとも１つを、前記アップロードデータとして出力する接続装置。
【請求項３】
請求項１に記載の接続装置であって、
前記複数の接続インターフェースは、前記回線として、移動体通信回線、ＩＰ（Internet Protocol）回線、固定電話通信回線のうち少なくも２つの回線にそれぞれ接続可能である接続装置。
【請求項４】
放送コンテンツを送信する送信局が有するサーバに接続された回線に接続可能な受信装置であって、
前記放送コンテンツを受信する受信手段と、
通信方式が異なる複数の前記回線にそれぞれ接続可能な複数の接続インターフェースと、
前記複数の接続インターフェースのうちの１つに、前記複数の回線のうち対応する回線が接続されたことを検出する検出手段と、
前記放送に関連するアップロードデータを前記サーバに送信するために、前記検出された接続インターフェースを介して、前記接続された回線に前記アップロードデータを出力する出力手段と
を具備する受信装置。
【請求項５】
放送コンテンツを送信する送信局が有するサーバと、前記サーバに接続された回線に接続可能な接続装置とを備えるアップロードシステムであって、
前記接続装置は、
通信方式が異なる複数の前記回線にそれぞれ接続可能な複数の接続インターフェースと、
前記複数の接続インターフェースのうちの１つに、前記複数の回線のうち対応する回線が接続されたことを検出する検出手段と、
前記放送に関連するアップロードデータを前記サーバに送信するために、前記検出された接続インターフェースを介して、前記アップロードデータを前記接続された回線に出力する出力手段とを有し、
前記サーバは、
前記出力されたアップロードデータを受信する受信手段を有するアップロードシステム。
【請求項６】
放送コンテンツを送信する送信局が有するサーバに接続された回線への接続方法であって、
通信方式が異なる複数の前記回線にそれぞれ接続可能な複数の接続インターフェースのうちの１つに、前記複数の回線のうち対応する回線が接続されたことを検出し、
前記放送に関連するアップロードデータを前記サーバに送信するために、前記検出された接続インターフェースを介して、前記アップロードデータを前記接続された回線に出力する回線の接続方法。
【発明の詳細な説明】
【技術分野】
【０００１】
本発明は、例えばテレビジョン放送等において、ユーザが持つ機器が各種のデータをセンター側に送信するアップロードサービスに用いられる回線の接続装置、受信装置、アップロードシステム及び回線の接続方法に関する。
【背景技術】
【０００２】
従来から、有料のテレビジョン放送（以下、有料放送という）においては、放送波のデータにスクランブルがかけられているか、またはそのデータが暗号化されている。したがって、ユーザと放送局との間で視聴契約がない場合、ユーザは、その放送を受信装置で受信してもその放送を視聴することができない。放送局と契約した者は、固有の個別キーが与えられ、受信装置がその個別キーまたはこの個別キーに対応する所定のキーを用いて放送波のデータのクランブルを解除し、番組を視聴することができる（例えば、特許文献１参照。）。
【０００３】
有料放送のうち、例えば番組単位で課金されるＰＰＶ（Pay Per View）、日単位で課金されるＰＰＤ（Pay Per Day）のシステムでは、ユーザがその番組や日が終了するごとに、受信装置が電話回線を介してユーザの視聴履歴のデータを放送局のサーバに送信する。これにより、放送局側のサーバは課金のための当該視聴履歴のデータを取得する。
【０００４】
また、デジタルテレビジョン放送において、番組によっては、ユーザによる該ユーザの機器への入力操作によりクイズに回答したり、投票したりすることができるサービスも十らからある。そのユーザの入力操作によるデータは、ユーザの機器から電話回線を介して放送局のサーバにアップロードされる。
【０００５】
【特許文献１】特許第３６５３７９２号公報（段落[０００２]）
【発明の開示】
【発明が解決しようとする課題】
【０００６】
ユーザの機器によりアップロードされる各種のデータは、今後電話回線に加え、電話回線以外の回線等が用いられる可能性がある。その場合、ユーザが電話回線から他の回線に切り替える場合に、その機器は設定画面を起動してユーザは設定を変更しなければならず、また、その設定自体も難しいと考えられる。
【０００７】
以上のような事情に鑑み、本発明の目的は、ユーザによる回線の接続のための設定の手間を省くことができる回線の接続装置、受信装置、アップロードシステム及び接続方法を提供することにある。
【課題を解決するための手段】
【０００８】
上記目的を達成するため、本発明に係る接続装置は、放送コンテンツを送信する送信局が有するサーバに接続された回線に接続可能な接続装置であって、通信方式が異なる複数の前記回線にそれぞれ接続可能な複数の接続インターフェースと、前記複数の接続インターフェースのうちの１つに、前記複数の回線のうち対応する回線が接続されたことを検出する検出手段と、前記放送に関連するアップロードデータを前記サーバに送信するために、前記検出された接続インターフェースを介して、前記アップロードデータを前記接続された回線に出力する出力手段とを具備する。
【０００９】
本発明では、回線が接続されたことが検出され、検出された接続インターフェース及び回線を介してアップロードデータが送信されるので、ユーザによる回線の接続設定の手間を省くことができる。
【００１０】
送信局は、放送コンテンツ、つまり放送番組等を構成する信号を、放送、またはその他の送信形態で送信する局である。上記サーバは、少なくともアップロードデータを受信できる機器であればよいが、放送コンテンツのデータも送信できる機器であってもよい。
【００１１】
本発明において、前記出力手段は、前記放送コンテンツの受信履歴データ、データ放送によるデータ、及び共同受信に関連するデータのうち少なくとも１つを、前記アップロードデータとして出力する。
【００１２】
受信履歴データとは、テレビジョン放送の番組またはラジオ放送の番組の信号を受信装置が受信して、ユーザがそのテレビジョン放送の番組を見たり、ラジオ放送の番組を聴いたりすることが可能な状態に処理したときのログデータである。上記受信装置は、接続装置と一体化された１つの装置であってもよいし、両者が別体の装置であってもよい。
【００１３】
共同受信に関連するデータとは、例えば、マンションやアパート等の複数の住人が共用する受信機が、当該マンションやアパートに設置されている場合に、その受信機のタイプを示す情報である。
【００１４】
本発明において、前記複数の接続インターフェースは、前記回線として、移動体通信回線、ＩＰ（Internet Protocol）回線、固定電話通信回線のうち少なくも２つの回線にそれぞれ接続可能である。
【００１５】
本発明に係る受信装置は、放送コンテンツを送信する送信局が有するサーバに接続された回線に接続可能な受信装置であって、前記放送コンテンツを受信する受信手段と、通信方式が異なる複数の前記回線にそれぞれ接続可能な複数の接続インターフェースと、前記複数の接続インターフェースのうちの１つに、前記複数の回線のうち対応する回線が接続されたことを検出する検出手段と、前記放送に関連するアップロードデータを前記サーバに送信するために、前記検出された接続インターフェースを介して、前記接続された回線に前記アップロードデータを出力する出力手段とを具備する。
【００１６】
本発明に係るアップロードシステムは、放送コンテンツを送信する送信局が有するサーバと、前記サーバに接続された回線に接続可能な接続装置とを備えるアップロードシステムであって、前記接続装置は、通信方式が異なる複数の前記回線にそれぞれ接続可能な複数の接続インターフェースと、前記複数の接続インターフェースのうちの１つに、前記複数の回線のうち対応する回線が接続されたことを検出する検出手段と、前記放送に関連するアップロードデータを前記サーバに送信するために、前記検出された接続インターフェースを介して、前記アップロードデータを前記接続された回線に出力する出力手段とを有し、前記サーバは、前記出力されたアップロードデータを受信する受信手段を有する。
【００１７】
本発明に係る回線の接続方法は、放送コンテンツを送信する送信局が有するサーバに接続された回線への接続方法であって、通信方式が異なる複数の前記回線にそれぞれ接続可能な複数の接続インターフェースのうちの１つに、前記複数の回線のうち対応する回線が接続されたことを検出し、前記放送に関連するアップロードデータを前記サーバに送信するために、前記検出された接続インターフェースを介して、前記アップロードデータを前記接続された回線に出力する。
【発明の効果】
【００１８】
以上のように、本発明によれば、ユーザによる回線の接続のための設定の手間を省くことができる。
【発明を実施するための最良の形態】
【００１９】
以下、本発明の実施の形態を図面を参照しながら説明する。
【００２０】
図１は、本発明の一実施の形態に係るアップロードシステムの構成を示す図である。
【００２１】
アップロードシステム１００は、ユーザ側が有する受信装置５０と、放送コンテンツを送信する送信局としてのセンター局６０が有するサーバ８０を備える。
【００２２】
センター局６０のサーバ８０は、図示しないＣＰＵ、ＲＡＭ、ＲＯＭ、その他の記憶デバイスを有するコンピュータで構成される。センター局６０は、例えば放送コンテンツを電波によって送信する事業者である。放送コンテンツとは、放送番組を構成するデジタル化されたデータストリーム、またはアナログ放送波である。以降では、放送コンテンツはデジタル化されたデータストリームとして実施の形態を説明する。
【００２３】
放送番組としては、テレビジョン放送の番組、あるいはラジオ放送の番組が挙げられる。センター局６０としては、例えばＣＳ（Communications Satellite）放送局、ＢＳ（Broadcasting Satellite）放送局等の衛星放送局、あるいは将来的には地上デジタル放送の放送局も考えられる。
【００２４】
データストリームは、典型的にはＭＰＥＧ（Moving Picture Experts Group）２の方式により圧縮されているが、この方式に限られない。
【００２５】
受信装置５０にはアンテナ２１が接続され、受信装置５０はアンテナ２１を介してセンター局６０から送信された放送波によるデータストリームを受信する。
【００２６】
図２は、受信装置５０の構成を示すブロック図である。
【００２７】
受信装置５０は、チューナ１、デスクランブラ２、デマルチプレクサ３、ＡＶデコーダ４、映像出力エンコーダ５、音声出力エンコーダ６、ＩＣカードスロット１７、ＩＣカード制御部１８、回線検出部１６、複数の回線の接続インターフェース２０（１３、１４、１５）、バス７、ＣＰＵ９、ＲＡＭ１０、ＲＯＭ１１、ＵＩ制御部１２を備えている。
【００２８】
チューナ１は、変調された放送波の信号を復調し、エラー訂正等を行うことにより、データストリームを取得する。チューナ１は受信手段として機能する。
【００２９】
デスクランブラ２は、チューナ１から出力されたデータストリームにかけられたスクランブルを解除する。典型的には、デスクランブラ２は、放送コンテンツデータに含まれる暗号化されたスクランブルキーを、ＩＣカードスロット１７に装着されたＩＣカード１９に記録されたマスターキーで復号し、復号されたスクランブルキーを用いて当該データストリームのスクランブルを解除する。マスターキーは、ユーザごと（ＩＣカード１９ごと）に与えられた固有のキーである。
【００３０】
デマルチプレクサ３は、チューナ１から出力された、音声及び映像が多重化されたデータストリームから音声ストリーム、映像ストリーム、双方向通信のデータ放送によるデータ、上記スクランブルキー等の必要なデータを抽出する。
【００３１】
ＡＶデコーダ４は、抽出された音声ストリーム及び映像ストリームを上記ＭＰＥＧ等の形式でデコードすることで、音声データ、映像データを生成する。
【００３２】
映像出力エンコーダ５は、ＡＶデコーダ４から供給された映像データについて、ディスプレイ２５の表示形式に合わせるように処理し、処理した映像データをディスプレイ２５に出力する。ディスプレイ２５がアナログ形式であれば、映像出力エンコーダ５はＤ／Ａ変換等も行う。
【００３３】
音声出力エンコーダ６は、ＡＶデコーダ４から供給された音声データについて、Ｄ／Ａ変換を行い、音声データをスピーカ２６に出力する。
【００３４】
ＣＰＵ９は、受信装置５０を統括的に制御する。ＲＯＭ１１または図示しない他の記憶デバイスには、ＣＰＵ９の動作に必要なプログラムが格納される。ＲＡＭ１０は、プログラムが展開される領域を有し、ＣＰＵ９の作業領域を有する。
【００３５】
ＩＣカードスロット１７は、ＩＣカード１９が着脱されるスロットである。ＩＣカード１９は、ユーザに固有の情報、例えばユーザの識別情報、上記マスターキーを構成するデータ、その他書誌的な情報等を記憶するメモリ領域１９ａを有する。
【００３６】
ＩＣカード制御部１８は、バス７との間で上記メモリ領域１９ａに所定のデータを記憶したり、メモリ領域１９ａに記憶されたデータを読み出したりする。
【００３７】
図３は、受信装置５０の接続インターフェース２０と回線の種類を説明するための図である。
【００３８】
接続インターフェース２０は、例えばＵＳＢ（Universal Serial Bus）端子１３ａを含むＵＳＢＩ／Ｆ（インターフェース）１３、イーサネット（登録商標）端子１４ａを含むイーサネット（登録商標）Ｉ／Ｆ１４及び固定電話回線用の端子１５ａを含む固定電話回線Ｉ／Ｆ１５で構成される。
【００３９】
ＵＳＢ端子１３ａには、ＵＳＢケーブル１３ｂを介して携帯端末機器２７が接続可能とされており、これにより受信装置５０は携帯端末機器２７を使って移動体通信回線７１に接続可能となっている。携帯端末機器２７としては、携帯電話、その他の移動体通信が可能な機器が挙げられる。
【００４０】
イーサネット（登録商標）端子１４ａには、例えばＬＡＮ（Local Area Network）ケーブル１４ｂが接続可能とされており、これにより受信装置５０はＬＡＮ経由でＩＰ回線７２、つまりインターネットに接続可能となっている。
【００４１】
固定電話回線端子１５ａには、図示しない固定電話用のケーブル１５ｂが接続可能とされており、これにより受信装置５０は固定電話回線７３に接続可能となっている。
【００４２】
図２に示す回線検出部１６は、ＵＳＢ端子１３ａ、イーサネット（登録商標）端子１４ａ、固定電話回線端子１５ａに、対応する所定の回線７１、７２、７３（つまり、ケーブル１３ｂ、１４ｂ、１５ｂの端子）が接続されたことを検出するセンサの機能を有する。典型的には、回線検出部１６は、その接続及び非接続の場合において、各端子１３ａ、１４ａ、１５ａとケーブル１３ｂ、１４ｂ、１５ｂの各端子間の通電及び非通電による電圧の違いを検出する。しかし、このような方法に限られず、他の公知の方法が適用されてもよい。
【００４３】
ＲＯＭ１１（または他の図示しない記憶デバイス）に記憶された、本発明の実施の形態に係る特徴的なソフトウェアは、ユーザの視聴履歴（受信履歴）制御機能３１、データ放送処理機能３２、通信制御機能３３、接続設定機能３４を有する。
【００４４】
視聴履歴制御機能３１は、ユーザが視聴した放送コンテンツごとに、ＩＣカード１９のメモリ領域１９ａにその視聴の履歴データを記録する処理を行う。視聴履歴データは、ＩＣカード１９のメモリ領域１９ａではなく、図示しない他の記憶デバイスがある場合にはその記憶デバイスに記憶されてもよい。
【００４５】
データ放送処理機能３２は、データ放送で用いられるデータ、共同受信に関連するデータ、ユーザに関するデータ、属性データ、またはその他のデータについて、暗号化等、通信に必要な所定の処理を実行する。データ放送で用いられるデータとは、センター局から送られる画像、テキスト等のデータ、受信装置５０からサーバ８０に送られる、例えばクイズ番組のクイズに対する回答情報、アンケートの回答情報、または投票内容の情報等を含むデータである。しかし、これらに限られない。
【００４６】
共同受信に関連するデータとは、例えば、マンションやアパート等の複数の住人が共用する受信機が、当該マンションやアパートに設置されている場合に、その受信機のタイプ（いわゆる共聴タイプ）を示す情報を含むデータである。また、データ放送処理機能３２は、上述のデマルチプレクサ３の一部の機能、つまり、データ放送で用いられるデータを抽出する機能を担う。
【００４７】
ユーザに関するデータとは、ユーザを識別するＩＤ等、ユーザの登録情報を含むデータである。
【００４８】
上記視聴履歴データ、データ放送で用いられるデータ、共同受信に関連するデータ、またはユーザに関するデータ等は、受信装置からサーバにアップロードされる、放送に関連するアップロードデータである。
【００４９】
通信制御機能３３は、各種の接続インターフェース２０及び各種の回線７０を介してサーバ８０との間の通信を制御する。
【００５０】
接続設定機能３４は、各種の回線７０の接続設定を行う。回線７０の接続設定とは、例えばＩＰ回線７２の場合、ＩＰアドレスの設定、ＬＡＮの設定、ＤＨＣＰ（Dynamic Host Configuration Protocol）の設定等である。固定電話回線７３の場合、例えばサーバ８０側の電話番号の設定等である。移動体通信回線７１の場合、その携帯端末機器２７が持つ対応のアリケーションソフトウェアの起動、またはサーバ８０の電話番号の設定等である。しかし、これらの設定に限られず接続に必要な設定なら何でもよい。
【００５１】
サーバ８０側の電話番号は、ＩＣカード１９のメモリ領域１９ａ、あるいは他の記憶デバイスに予め記憶されていてもよいし、ユーザにより予め設定されて記憶された電話番号でもよい。
【００５２】
視聴履歴制御機能３１、データ放送処理機能３２、通信制御機能３３、接続設定機能３４は、ソフトウェアにより実現されるとして説明したが、これらの各機能すべてのうち少なくとも１つを実現するハードウェアを受信装置５０が備えていてもよい。回線検出部１６やその他のブロックについても、ハードウェアでもソフトウェアでもどちらで構成されてもよい。
【００５３】
ＵＩ制御部１２は、受信装置５０を遠隔制御する図示しないリモートコントローラ（またはその他の入力デバイス）からのユーザの操作信号、あるいは、受信装置５０の操作パネルに設けられた操作ボタン等を介してユーザが入力した操作信号を受信し、受信した操作信号をＣＰＵ９に送る。
【００５４】
以上のように構成されたアップロードシステム１００の動作について説明する。図４はその動作を示すフローチャートである。
【００５５】
ユーザは、受信装置５０へのＵＩ制御部１２を介した入力操作により、希望する放送番組を指定する。ここでは、スクランブルがかけられた有料放送番組を選択するとする。この場合、例えばＣＰＵ９は所定のプログラムを用いて、視聴するか否かをユーザに問い合わせるための視聴選択画面をディスプレイ２５に表示する。その視聴選択画面には、視聴料金、番組のタイトル等が含まれる場合もある。ユーザはその有料放送番組を視聴することを選択することで、その有料放送番組の視聴が可能となる。典型的には受信装置５０は以下のように動作する。
【００５６】
ＣＰＵ９は、チューナ１により、ユーザが指定したチャンネルの有料放送番組のデータストリームを受信する（ステップ１０１）。
【００５７】
チューナ１により受信された有料放送番組のデータストリームは、デスクランブラ２を介してデマルチプレクサ３に入力される。ＣＰＵ９は、デマルチプレクサ３によりスクランブルキーを抽出し、ＩＣカード１９のメモリ領域１９ａに記憶されたマスターキーにより復号する。ＣＰＵ９は復号されたマスターキーを用いてデスクランブラ２においてスクランブルを解除することで、デマルチプレクサ３において音声及び映像ストリーム、その他のデータを抽出する（ステップ１０２）。
【００５８】
ＣＰＵ９は、視聴履歴制御機能３１を用いて、その有料放送番組のデータストリームを受信してデコードしたことを示す情報、つまりユーザが視聴したことを示す情報を、視聴履歴データとしてＩＣカード１９のメモリ領域１９ａ、またはその他の記憶デバイスに記録する（ステップ１０３）。視聴履歴データは、例えば、デマルチプレクサ３で抽出した番組のＩＤに対応付けられるようにして記録される。
【００５９】
ＣＰＵ９は、視聴履歴データを記録すると、その視聴履歴データをサーバ８０に送信するための回線の接続設定を行う。典型的には、ＣＰＵ９は、回線検出部１６により３つの接続インターフェース１３、１４、１５の端子１３ａ、１４ａ、１５ａのうちどれに回線７０が電気的（あるいは物理的）に接続されているかを検出する（ステップ１０４）。
【００６０】
そしてＣＰＵ９は、接続設定機能３４を用いて、検出された接続インターフェース１３、１４、または１５と、それに対応する回線７１、７２、または７３の接続設定を行う（ステップ１０５）。ここでいう回線の接続設定とは、受信装置５０がアップロードデータをサーバ８０に送信することを可能にするような設定であり、上述したような各種の設定である。ＣＰＵ９は、この接続設定に関する情報をＩＣカード１９のメモリ領域１９ａまたはその他の記憶デバイスに記憶しておいてもよい。
【００６１】
ＣＰＵ９は、接続設定された接続インターフェース１３、１４、または１５、及びそれに対応する回線７１、７２、または７３を介して、記録された視聴履歴データをアップロードデータとしてサーバ８０に送信する（ステップ１０６）。これにより、センター局６０においてその視聴履歴データに基いて課金される。なお、視聴履歴データがサーバ８０に送信された後、ＣＰＵ９はメモリ領域１９ａから視聴履歴データを消去する。
【００６２】
以上のように、本実施の形態では、どの通信方式の回線７１、７２、７３が受信装置５０に電気的に接続されたかが検出される。そして、その回線７１、７２、または７３の接続設定が自動で行われ、設定された接続インターフェース１３、１４、または１５、及び回線７１、７２、または７３を介してアップロードデータが送信される。これにより、ユーザによる回線７０の接続設定の手間を省くことができる。つまり、複数の接続インターフェース１３、１４、１５があっても、ユーザはそのうちの１つにケーブル１３ｂ、１４ｂ、または１５ｂを差し込むだけで、受信装置５０が自動で接続設定を行う。
【００６３】
なお、ステップ１０４、１０５は、ステップ１０１より前、例えば受信装置５０に電源が投入された直後に行われもよい。視聴履歴データが送信されるごとに、共同受信に関連するデータ等、他のアップロードデータも送信されるようにしてもよいし、他のアップロードデータは所定のタイミングで定期的に送信されるようにしてもよい。
【００６４】
図５は、本発明の他の実施の形態に係るアップロードシステムの構成を示す図である。
【００６５】
このアップロードシステム２００は、放送局６０、受信装置１５０、放送コンテンツ送信局９０を備える。放送コンテンツ送信局９０は、放送局から送信された放送波を受信し、ＩＰ回線またはその他の回線７５により受信装置１５０に、受信した放送コンテンツデータを送信する。放送コンテンツ送信局９０は、典型的には、ケーブルテレビやプロバイダ等の事業者である。
【００６６】
受信装置１５０は、回線７５に接続することが可能な機構を有し、また、図示しないが図２に示した受信装置５０と同様、複数の接続インターフェース２０（１３、１４、１５）を有する。接続インターフェース２０は、それぞれ通信方式の異なる回線７０（７１、７２、７３）に接続可能とされている。
【００６７】
受信装置５０と同様、受信装置１５０は、有料放送番組を構成する放送コンテンツを回線７５を介して受信すると、回線７０を介して視聴履歴データ等のアップロードデータをサーバ１８０に送信するようになっている。なお、通信方式によっては回線７５と回線７０とが同じ通信方式の場合（例えばＩＰ回線が用いられる場合）もある。
【００６８】
本発明に係る実施の形態は、以上説明した実施の形態に限定されず、他の種々の実施形態が考えられる。
【００６９】
上記実施の形態として、チューナ１が設けられた受信装置５０を例に挙げたが、チューナ１が設けられていない装置（接続装置）についても、実施の形態として挙げることができる。この場合、当該接続装置は、上記回線検出部１６、複数の接続インターフェース２０、回線検出部１６による検出結果の信号を、放送コンテンツの受信装置に出力する出力部、受信装置がアップロードデータを生成した場合に、その受信装置から出力されたアップロードデータを入力する入力部、及び入力されたアップロードデータを送信する送信部を備えていればよい。
【００７０】
上記実施の形態では、回線の接続インターフェース２０として、３つの通信方式を例に挙げたが、これらのうち少なくとも２つを受信装置５０が備えていてもよい。あるいは、これら３つ以外の通信方式が用いられてもよい。
【００７１】
受信装置５０がＩＰ回線７２に接続される場合にはイーサネット（登録商標）Ｉ／Ｆ１４を利用する例を説明したが、受信装置５０がＰＣカードのスロットを有し、ＰＣカードとしてＬＡＮカードがそのスロットに装着されるような形態も考えられる。その場合、ＬＡＮカードのタイプとして、ＬＡＮケーブルが接続されるタイプであってもよいし、無線ＬＡＮタイプであってもよい。あるいは、ＵＳＢ端子１３ａを介してこのようなＬＡＮモジュールが受信装置５０に接続される形態であってもよい。
【図面の簡単な説明】
【００７２】
【図１】本発明の一実施の形態に係るアップロードシステムの構成を示す図である。
【図２】受信装置の構成を示すブロック図である。
【図３】受信装置の接続インターフェースと回線の種類を説明するための図である。
【図４】アップロードシステムの動作を示すフローチャートである。
【図５】本発明の他の実施の形態に係るアップロードシステムの構成を示す図である。
【符号の説明】
【００７３】
１…チューナ
１６…回線検出部
２０（１３、１４、１５）…接続インターフェース
３１…視聴履歴制御機能
３２…データ放送処理機能
３３…通信制御機能
３４…接続設定機能
５０、１５０…受信装置
６０…センター局（放送局）
７０（７１、７２、７３）…回線
８０、１８０…サーバ
９０…放送コンテンツ送信局
１００、２００…アップロードシステム
【図１】
2009010556.tif 000003
【図２】
2009010556.tif 000004
【図３】
2009010556.tif 000005
【図４】
2009010556.tif 000006
【図５】
2009010556.tif 000007